(57)【要約】      （修正有）【課題】ソーラーパネルの発電効率を低下させることがなく、かつ、破損を防止することができ、未使用時や運搬時にもコンパクトで安全なソーラー式投光器を提供する。【解決手段】ソーラーパネル１を含む電源供給手段と、電源供給手段からの電力を蓄電可能な蓄電池と、蓄電池から供給された電力により点灯可能な照明手段３と、ソーラーパネル１と蓄電池と照明手段３とを一体に格納可能な筐体４と、筐体４を移動可能な移動手段５とを具備する。ソーラーパネル１の受光面11を筐体４の表面に対向して折り畳み可能にする。【選択図】図１
0003179793.tif 000002
【実用新案登録請求の範囲】
【請求項１】
少なくともソーラーパネル（１）を含む電源供給手段（Ｐ）と；
この電源供給手段（Ｐ）からの電力を蓄電可能な蓄電池（２）と；
この蓄電池（２）から供給された電力により点灯可能な照明手段（３）と；
これらソーラーパネル（１）と蓄電池（２）と照明手段（３）とを一体に格納可能な筐体（４）と；
この筐体（４）を移動可能な移動手段（５）とを具備して構成されており、
前記ソーラーパネル（１）の受光面（11）が筐体（４）の表面に対向して折り畳み可能であることを特徴とするソーラー式投光器。
【請求項２】
ソーラーパネル（１）の受光面（11）を略鉛直方向にして折り畳み可能であることを特徴とする請求項１記載のソーラー式投光器。
【請求項３】
ソーラーパネル（１）の側縁に二軸方向に揺動可能な自在継手（12）が配設されており、かつ、この自在継手（12）により筐体（４）の側面に連結されている一方、
この自在継手（12）の操作によって前記ソーラーパネル（１）の受光面（11）を揺動して迎角調整可能であるとともに、当該受光面（11）が筐体（４）の側面に対向して折り畳み可能であることを特徴とする請求項１または２記載のソーラー式投光器。
【請求項４】
電源供給手段（Ｐ）として、乾電池、商用電源入力プラグ、自動車用バッテリ、ダイナモ、風力発電機、エンジン発電機の少なくとも一つを具備することを特徴とする請求項１〜３の何れか一つに記載のソーラー式投光器。
【請求項５】
蓄電池（２）から供給された電力により作動可能な出力手段（Ｑ）として、電源出力プラグ、ラジオ、テレビ、サイレン、拡声器の少なくとも一つが配設されていることを特徴とする請求項１〜４の何れか一つに記載のソーラー式投光器。
【請求項６】
照明手段（３）の支持具が伸縮して筐体（４）内に一体に収容可能であることを特徴とする請求項１〜５の何れか一つに記載のソーラー式投光器。
【請求項７】
蓄電池（２）の電力残量を表示可能な表示手段（21）が設けられていることを特徴とする請求項１〜６の何れか一つに記載のソーラー式投光器。
【請求項８】
照明手段（３）がＬＥＤ光源であることを特徴とする請求項１〜７の何れか一つに記載のソーラー式投光器。
【考案の詳細な説明】
【技術分野】
【０００１】
本考案は、投光器の改良、更に詳しくは、ソーラーパネルの発電効率を低下させることがなく、かつ、破損を防止することができ、未使用時や運搬時にもコンパクトで安全なソーラー式投光器に関するものである。
【背景技術】
【０００２】
周知のとおり、夜間の屋外などの暗い場所においては、照明を確保するために投光器が使用されており、特に、災害時などには停電が発生することがあるため、商用電源（家庭用コンセント）からの電源供給無しでも使用可能な投光器が必要である。
【０００３】
従来、かかる投光器として、太陽光エネルギーによるソーラー発電が可能なソーラーパネルから電源を供給可能なソーラー式の投光器が開示されている（例えば、特許文献１、２参照）。
【０００４】
しかしながら、これらの投光器におけるソーラーパネルは、装置本体の上方において、かつ、受光面を上向きにして配設されているため、この受光面に塵埃等が堆積したりして汚れが付着し易く、受光量の減少による発電効率の低下を招いたり、清掃等のメンテナンス負担を増加してしまうという問題があった。
【０００５】
また、投光器の運搬時においても、ソーラーパネルの受光面が装置本体から外向きに露出しているために、装置を誤ってぶつけたり転倒させてしまうと、ソーラーパネルを破損してしまうおそれがあった。特に災害時には緊急を要することが多いため、装置の取り扱いが粗雑になりがちであり、しかも、装置にも代替が無いために、装置の破損は回避しなければならない。
【０００６】
更にまた、ソーラーパネルが装置上方に配設されている場合、受光面積が装置本体の上面の面積に依存するために不可避的に小さくなってしまい、発電量が少なくなってしまうという問題があり、かと言って、受光面積を大きくすると、装置本体自体も大型化してしまい、無駄なスペースを取り重量化もしてしまうという問題がある。
【先行技術文献】
【特許文献】
【０００７】
【特許文献１】登録実用新案第３１７２５９８号公報
【特許文献２】特開２０１０−３４１９０号公報
【考案の概要】
【考案が解決しようとする課題】
【０００８】
本考案は、従来のソーラー式の投光器に上記のような問題があったことに鑑みて為されたものであり、その目的とするところは、ソーラーパネルの発電効率を低下させることがなく、かつ、破損を防止することができ、未使用時や運搬時にもコンパクトで安全なソーラー式投光器を提供することにある。
【課題を解決するための手段】
【０００９】
本考案者が上記課題を解決するために採用した手段を添付図面を参照して説明すれば次のとおりである。
【００１０】
即ち、本考案は、少なくともソーラーパネル１を含む電源供給手段Ｐと；
この電源供給手段Ｐからの電力を蓄電可能な蓄電池２と；
この蓄電池２から供給された電力により点灯可能な照明手段３と；
これらソーラーパネル１と蓄電池２と照明手段３とを一体に格納可能な筐体４と；
この筐体４を移動可能な移動手段５とを具備して構成されており、
前記ソーラーパネル１の受光面11を筐体４の表面に対向して折り畳み可能にするという技術的手段を採用したことによって、ソーラー式投光器を完成させた。
【００１１】
また、本考案は、上記課題を解決するために、必要に応じて上記手段に加え、ソーラーパネル１の受光面11を略鉛直方向にして折り畳み可能にするという技術的手段を採用することもできる。
【００１２】
更にまた、本考案は、上記課題を解決するために、必要に応じて上記手段に加え、ソーラーパネル１の側縁に二軸方向に揺動可能な自在継手12を配設して、かつ、この自在継手12により筐体４の側面に連結する一方、
この自在継手12の操作によって前記ソーラーパネル１の受光面11を揺動して迎角調整可能にするとともに、当該受光面11を筐体４の側面に対向して折り畳み可能にするという技術的手段を採用することもできる。
【００１３】
更にまた、本考案は、上記課題を解決するために、必要に応じて上記手段に加え、電源供給手段Ｐとして、乾電池、商用電源入力プラグ、自動車用バッテリ、ダイナモ、風力発電機、エンジン発電機の少なくとも一つを具備させるという技術的手段を採用することもできる。
【００１４】
更にまた、本考案は、上記課題を解決するために、必要に応じて上記手段に加え、蓄電池２から供給された電力により作動可能な出力手段Ｑとして、電源出力プラグ、ラジオ、テレビ、サイレン、拡声器の少なくとも一つを配設するという技術的手段を採用することもできる。
【００１５】
更にまた、本考案は、上記課題を解決するために、必要に応じて上記手段に加え、照明手段３の支持具を伸縮させて筐体４内に一体に収容可能にするという技術的手段を採用することもできる。
【００１６】
更にまた、本考案は、上記課題を解決するために、必要に応じて上記手段に加え、蓄電池２の電力残量を表示可能な表示手段21を設けるという技術的手段を採用することもできる。
【００１７】
更にまた、本考案は、上記課題を解決するために、必要に応じて上記手段に加え、照明手段３をＬＥＤ光源にするという技術的手段を採用することもできる。
【考案の効果】
【００１８】
本考案にあっては、少なくともソーラーパネルを含む電源供給手段と；この電源供給手段からの電力を蓄電可能な蓄電池と；この蓄電池から供給された電力により点灯可能な照明手段と；これらソーラーパネルと蓄電池と照明手段とを一体に格納可能な筐体と；この筐体を移動可能な移動手段とを具備して構成し、前記ソーラーパネルの受光面を筐体の表面に対向して折り畳み可能にしたことによって、運搬時に誤ってぶつけたり転倒しても、ソーラーパネルを破損することがなく安全である。
【００１９】
また、未使用時でもソーラーパネルに塵埃が堆積することがないので、清掃等のメンテナンス負担が減少し、かつ、発電効率の低下を防止することができることから、特に災害時などに機能を発揮することができる。
【００２０】
更にまた、必要に応じて、電源供給手段および出力手段を追加することができるので、多機能で使い勝手の良い投光器を構成することができることから、実用的利用価値は頗る高いものがあると云える。
【図面の簡単な説明】
【００２１】
【図１】本考案の実施形態の投光器を表わす全体斜視図である。
【図２】本考案の実施形態の投光器の構造を表わす説明図である。
【図３】本考案の実施形態の投光器の折り畳み状態を表わす全体斜視図である。
【図４】本考案の実施形態の投光器の折り畳み構造を表わす説明上面図である。
【図５】本考案の実施形態の投光器の折り畳み構造を表わす説明側面図である。
【考案を実施するための形態】
【００２２】
本考案を実施するための形態を、具体的に図示した図面に基づいて更に詳細に説明すると、次のとおりである。
【００２３】
本考案の実施形態を図１から図５に基づいて説明する。図中、符号１で指示するものはソーラーパネルであり、このソーラーパネル１は、複数の太陽電池を並べて相互に接続してパネル状にしたものであり、太陽からの光エネルギー（光子）を用いて光起電力効果によって電気を発生させるものである。なお、本考案におけるソーラーパネル１は、電源供給手段Ｐの一種である。
【００２４】
また、符号２で指示するものは蓄電池であり、この蓄電池２は、前記電源供給手段Ｐからの電力を蓄電可能であって、鉛蓄電池、ニッケルカドミウム蓄電池やニッケル水素蓄電池、リチウムイオン二次電池などを採用することができる。
【００２５】
更にまた、符号３で指示するものは照明手段であり、この照明手段３は、前記蓄電池２から供給された電力により点灯可能であって、ＬＥＤ光源や白熱電球、蛍光灯などを採用することができる。本実施形態では、照明手段３としてＬＥＤ光源（２０Ｗ）を採用し、消費電力を抑制するとともに故障が少なく小型化することができる。
【００２６】
更にまた、符号４で指示するものは筐体であり、この筐体４は、金属や強化プラスチックなどの強固な材料を使用して作製されており、本実施形態では、枠体を壁面により被覆して構成することができ（例えばカバーをステンレス製（ＳＵＳ３０４ＨＬ）、鉄製粉体焼付白塗装）、ソーラーパネル１と蓄電池２と照明手段３とを一体に格納可能である。ここでいう格納とは各部材が一体に連結してまとまっている状態をいう。更に、開閉自在な正面扉を設けることによりメンテナンスを容易にすることができる。
【００２７】
更にまた、符号５で指示するものは移動手段であり、この移動手段５は、前記筐体４を移動可能な部材であって、キャスター（車輪）を採用する。このキャスターには適宜ストッパーを設けることもできる。
【００２８】
しかして、本考案のソーラー式投光器は、少なくともソーラーパネル１（例えば３０Ｗ）を含む電源供給手段Ｐと、蓄電池２、照明手段３とを筐体４に一体に格納して、移動手段５により筐体４を移動可能に構成する。
【００２９】
本実施形態では、照明手段３は伸縮可能な支持具にクランプ等により２基取り付けられており、それぞれ独立的に照射方向の角度調節を行うことができる。この際、照明手段３の支持具を伸縮（および折曲げ）させて筐体４内に一体に収容可能にすることもでき、装置本体をよりコンパクトに構成することができる。
【００３０】
また、前記移動手段５は筐体４の底面に配設する。移動手段５としてキャスターを採用する場合、例えば後方の２か所に設置して、前方の２か所は支柱として、移動時には支柱を浮かせてキャスターのみで移動させることができる。なお、底面の４か所とも（例えば四隅）にキャスターを設置することも当然に可能である。
【００３１】
次いで、本考案では、このソーラーパネル１の受光面11を筐体４の表面に対向させて折り畳み可能に構成する。こうすることによって、受光面11が外側に露出することがないので、衝撃や衝突による破損を防止することができ、かつ、塵埃等の付着を防止することもできる。
【００３２】
更に、本実施形態では、ソーラーパネル１を筐体４の右側面と左側面にそれぞれ配設するとともに、ソーラーパネル１の受光面11を略鉛直方向にして折り畳み可能に構成することが好ましい。こうすることによって、装置本体の上面積を大きくする必要がなく、かつ、同様に受光面11の破損防止や塵埃等の付着防止をすることができる。
【００３３】
この際、ソーラーパネル１の側縁に二軸方向に揺動可能な自在継手12を配設して、かつ、この自在継手12により筐体４の側面に連結する一方、この自在継手12の操作によって前記ソーラーパネル１の受光面11を揺動して迎角調整可能にするとともに、当該受光面11を筐体４の側面に対向させて折り畳み可能にすることもできる。
【００３４】
なお、ソーラーパネル１を折り畳むための継手（ジョイント）は、ボールジョイントやカルダンジョイントなどの自在継手を採用することができ、また、蝶番などの一軸ヒンジにより筐体４と連結して迎角調整用のヒンジ部を別に設けてもよい。また、受光面11と筐体４の表面とが直接衝突しないように、スペースや緩衝材を設けるのが好ましい。
【００３５】
本実施形態における投光器を使用するにあっては、まず、電源供給手段Ｐを選択する（図２参照）。本実施形態では、電源供給手段Ｐの主としてソーラーパネル１を使用するが、このソーラーパネル１の他に、乾電池（例えばＤＣ１２Ｖ×８）、商用電源入力プラグ（ＡＣ１００Ｖ）、自動車用バッテリ、ダイナモ、風力発電機、エンジン発電機の少なくとも一つを具備することができ、日照不足やソーラーパネルの故障時であっても使用することができる。電源供給手段Ｐの選択は切り替えスイッチにより行うことができる。
【００３６】
ソーラーパネル１の受光面11に受光させる場合には、図３に示すように、ソーラーパネル１が折り畳まれた状態から、図４に示すように、鉛直軸回りに揺動させて折り畳まれたソーラーパネル１の受光面11を筐体４の表面（側面）から離れるようにするとともに、図５に示すように、水平軸回りに揺動させて仰角を調整する。
【００３７】
次いで、ソーラーパネル１等の電源供給手段Ｐから供給された電力は蓄電池２に充電される。本実施形態では、蓄電池２の電力残量を表示可能な表示手段21を設けることができる。この表示手段21はアナログ式でもデジタル式でもよく、充電状態と放電状態を目視により確認することができ、残量が少ない場合には充電したり照明等の出力を切断したりすることができる。
【００３８】
そして、蓄電池２に充電されて供給された電力により前記照明手段３および出力手段Ｑを作動する。本実施形態では、この出力手段Ｑとして、電源出力プラグ（家電製品が使用できるＡＣ１００Ｖ（１２０Ｗ）が好ましい）、ラジオ、テレビ、サイレン、拡声器の少なくとも一つを配設することができ、特に、災害時などにおける情報収集手段や連絡手段として使用することができる。この際、照明手段３および出力手段Ｑは単独または複数を同時に使用することができる。なお、蓄電池２を介する際に直流および交流の変換に必要なインバータおよびコンバータを適宜設置する。
【００３９】
本考案のソーラー式投光器は、移動手段５を用いて任意の場所に自由に移動させることができ、特に、災害現場等で適切に照明を与えるとともに、各種電気製品に対する電源装置として使用することができる。
【００４０】
本考案は、概ね上記のように構成されるが、図示の実施形態に限定されるものでは決してなく、「実用新案登録請求の範囲」の記載内において種々の変更が可能であって、例えば、ソーラーパネル１の受光面11は、筐体４の側面に対向するものに限らず、上面や底面に対向するようにして保護することもできる。
【００４１】
また、筐体４の下部に中空部を設け、適宜オモリを収容できるようにして、装置本体を安定ならしめることもできる。更にまた、ソーラーパネル１自体に折り畳み機構を設けることもできるし、ソーラーパネル１や蓄電池２、照明手段３の数量も適宜増加させることもでき、これら何れのものも本考案の技術的範囲に属する。
【符号の説明】
【００４２】
１    ソーラーパネル
11    受光面
12    自在継手
Ｐ    電源供給手段
２    蓄電池
21    表示手段
３    照明手段
４    筐体
５    移動手段
Ｑ    出力手段
【図１】
0003179793.tif 000003
【図２】
0003179793.tif 000004
【図３】
0003179793.tif 000005
【図４】
0003179793.tif 000006
【図５】
0003179793.tif 000007